(57)【要約】【課題】本発明は補聴器用乾燥ケースに関するもので、補聴器を乾燥ケースに保管する際、空気電池の保管も容易にし、使い勝手の向上を図ることを目的とする。【解決手段】そして、この目的を達成するために本発明の補聴器用乾燥ケースは、補聴器収納部２を有するケース本体１の一部に電池投入口５を設け、この電池投入口５のケース本体１内側には、空気電池収納部６を設け、この空気電池収納部６の少なくとも側面筒部９は、変形自在な柔軟な素材で構成した。【選択図】図１
2012146404.tif 000002
【特許請求の範囲】
【請求項１】
補聴器収納部を有するケース本体の一部に電池投入口を設け、この電池投入口のケース本体内側には、空気電池収納部を設け、この空気電池収納部の少なくとも側面は、変形自在な柔軟な素材で構成された補聴器乾燥ケース。
【請求項２】
前記ケース本体は、上面が開口した下ケースと、この下ケースの上面開口部を開閉自在に覆った蓋体とにより構成し、前記蓋体に、電池投入口を形成した請求項１に記載の補聴器乾燥ケース。
【請求項３】
前記空気電池収納部の底部は、前記空気電池の空気孔を覆う平面を有する請求項１または２に記載の補聴器乾燥ケース。
【請求項４】
前記空気電池収納部の底部の、前記空気電池の空気孔を覆う平面には磁石を備える請求項３に記載の補聴器乾燥ケース。
【請求項５】
前記空気電池収納部の底部の、前記空気電池の空気孔外部分に通気口を備える請求項１から４のいずれか一つに記載の補聴器乾燥ケース。
【請求項６】
前記ケース本体の電池投入口形成面をなだらかな曲面とした請求項１から５のいずれか一つに記載の補聴器乾燥ケース。
【発明の詳細な説明】
【技術分野】
【０００１】
本発明は、補聴器を乾燥保管させる補聴器乾燥ケースに関するものである。
【背景技術】
【０００２】
補聴器を使用している状態では、汗や雨などにより補聴器内部にまで水分が入り込み、そのままの状態で長時間放置すると、補聴器内部に搭載された電子部品や電気接点の腐食が進む可能性が高くなる。
【０００３】
そこで、従来から補聴器未使用時にはシリカゲルと共に補聴器本体をケースに入れて乾燥させることが行われていた。
【０００４】
この時、補聴器に使用されている空気電池は、空気孔が開いている状態のまま乾燥空間に入れると空気電池の寿命が著しく消耗するため、補聴器本体から空気電池を取り出して、乾燥空間とは別の密閉空間に空気電池を収納することで、空気電池の消耗を抑制する補聴器乾燥ケースが提案されている（例えば、特許文献１）。
【先行技術文献】
【特許文献】
【０００５】
【特許文献１】特開平９−１０８０２５号公報
【発明の概要】
【発明が解決しようとする課題】
【０００６】
従来の補聴器乾燥ケースでは、補聴器本体の乾燥と、空気電池の消耗を抑制するという意味では、十分に機能を発揮するものである。
【０００７】
しかしながら、特許文献１に開示された補聴器乾燥ケースでは、補聴器本体を収納するために補聴器収納空間の蓋を開け、さらに電池ケースを収納するために空気電池収納空間の蓋を開けるという２度の蓋を開ける操作が必要となり、使い勝手のよいものではなかった。
【０００８】
そこで、本発明は、使い勝手の向上を図ることを目的とするものである。
【課題を解決するための手段】
【０００９】
そしてこの目的を達成するために、本発明は、補聴器収納部を有するケース本体の一部に電池投入口を設け、この電池投入口のケース本体内側には、空気電池収納部を設け、この空気電池収納部の少なくとも側面は、変形自在な柔軟な素材で構成し、これにより所期の目的を達成するものである。
【発明の効果】
【００１０】
以上のように、本発明は、補聴器収納部を有するケース本体の一部に電池投入口を設け、この電池投入口のケース本体内側には、空気電池収納部を設け、この空気電池収納部の少なくとも側面は、変形自在な柔軟な素材で構成したものであるので、補聴器および空気電池を保管する際の使い勝手の向上を図るものである。
【００１１】
すなわち、補聴器から空気電池を取り出した後、補聴器をケース本体の補聴器収納部に収納し、また、空気電池を電池投入口に差し込むだけで空気電池の消耗を抑制しつつ保管状態とすることができ、また空気電池を取り出す際にも、空気電池収納部の裏側を指で押し上げるだけで取り出すことができるため、空気電池を保管する際の使い勝手の向上を図ることができるようになる。
【図面の簡単な説明】
【００１２】
【図１】本発明の一実施形態にかかる補聴器乾燥ケースの斜視図
【図２】同補聴器乾燥ケースに収納される空気電池の斜視図
【図３】同蓋体に備えられた空気電池収納部の説明をする断面図
【図４】同空気電池と開口部との関係を説明する斜視図
【図５】同空気電池収納部から空気電池を取り出す断面図
【図６】同空気電池収納部の一部切欠斜視図
【図７】同空気電池収納部を説明する斜視図
【発明を実施するための形態】
【００１３】
以下に、本発明の一実施形態に係る補聴器乾燥ケースについて、添付図面を用いて説明する。
【００１４】
（実施の形態１）
本実施形態の補聴器乾燥ケースは、図１に示す構成となっている。
【００１５】
ケース本体１は、上面開口部を備えた下ケース３と、この下ケース３の上面開口部を開閉自在に閉成する蓋体３ａを備えている。
【００１６】
下ケース３内に設けた補聴器収納部２は、図示しない乾燥剤とともに図示しない補聴器本体を収納し、補聴器に付着した湿気を乾燥させるためのである。そして、蓋体３ａには、空気電池４を収納するために後述する空気電池収納部６と連通する電池投入口５が設けられている。
【００１７】
空気電池４は、図２のごとく正極側に空気孔７を設けており、この空気孔７から空気電池４に空気が流入することにより、発電が行われる。空気電池４を保管する場合には、この空気孔７を塞いで空気の流入を防ぐことにより、発電を抑制する。
【００１８】
つまり、本実施形態における補聴器乾燥ケースは、補聴器未使用状態においては、補聴器から空気電池４を取り出した後、補聴器本体は乾燥剤とともに補聴器収納部２内に収納し、取り出された空気電池４は空気孔７を下に向けて電池投入口５から空気電池収納部６に挿入することにより、補聴器本体と空気電池４を保管するものである。
【００１９】
図３（ａ）は蓋体３ａの断面図である。蓋体３ａの上面部は中心から周辺にかけてなだらかに傾斜している湾曲面となっており、上面外周部には、空気電池４を挿入するための電池投入口５を設けている。さらに、電池投入口５の下部には一端側が開放され他端側が閉成されている有底筒形状の弾性素材（例えばゴム）で構成された空気電池収納部６を備えている。
【００２０】
空気電池４は、図３（ｂ）のように空気孔７が下方となるように電池投入口５から空気電池収納部６へと挿入し、空気電池４を奥まで挿入することにより底部８が空気電池４と接触し、空気孔７を塞ぐようになっている。
【００２１】
図４（ａ）は電池投入口５、空気電池収納部６の直径をあらわしており、図４（ｂ）は空気電池４の直径をあらわしている。電池投入口５の直径をＷ１とし、空気電池の直径をＷ３とすると、これらの関係はＷ１＞Ｗ３となり、このように空気電池４の直径より電池投入口５の直径の方を大きくすることにより、空気電池４を空気電池収納部６まで誘導しやすくなり、結果大変入れやすいものとなる。またこのとき、電池投入口５から空気電池収納部６までをなだらかな斜面とするとによって、より空気電池収納部６までの誘導がしやすくなる。
【００２２】
次に、空気電池４の直径をＷ３とすると、空気電池収納部６の直径をＷ２とし、空気電池収納部６の直径Ｗ２と空気電池４の直径Ｗ３との関係をＷ２＜Ｗ３とする。つまり、空気電池４の直径より空気電池収納部６の直径の方を小さくすることで、空気電池４を空気電池収納部６に挿入する際、空気電池収納部６の側面筒部９が空気電池４によって押し広げられ、側面筒部９の弾性により空気電池４の側面と側面筒部９とが密着することにより、空気電池４の保持及び、空気電池４の側面と側面筒部９との隙間からの空気の流入を防ぐことができるのである。
【００２３】
次に、図５を用いて空気電池４を取り出す時の説明を行う。
【００２４】
空気電池４を取り出すときには、蓋体３ａの裏側から、指１０により底部８を押し上げることで空気電池４を電池投入口５より上に露出させ、出てきた空気電池４を指１１でつまみ上げることになる。空気電池収納部６は、上述のとおり柔軟性を持たせてあるため、底部８を押し上げた際には側面筒部９がたわみ、これにより、空気電池４を上に押し上げることができるのである。また、蓋体３ａの上面部は湾曲させているため、底部８を押し上げた際に露出された空気電池４は、蓋体３ａの中心側より外周側の方が露出度が高くなり、これにより、空気電池４をよりつまみ出しやすいものとなる。つまり、蓋体３ａの中心部が最も高い位置で、そこから外周に向かってなだらかに湾曲傾斜しながら下降する面となっており、前記電池投入口５は中心部よりは外周側に設けている。
【００２５】
さらに、電池投入口５を蓋体３ａの外周部、つまり指１０が届きやすい位置に配置している。
【００２６】
なお、本実施形態では、蓋体３ａに一つの電池投入口５を設けた構成で説明したが、空気電池４のサイズに応じて複数の電池投入口５を設けてもよい。
【００２７】
また、電池投入口５を蓋体３ａに設けて説明したが、これに限定されるものではなく、例えば、下ケースの側面に電池投入口５、および空気電池収納部６を設けても良い。
【００２８】
（実施の形態２）
本実施形態では、前記実施形態とは別の構成とした、空気電池収納部６ａについて図６、図７を用いて説明する。
【００２９】
空気電池収納部６ａは、柔軟な素材を用いた側面筒部９ａと、底部８ａとを有し、底部８ａの略中央部には磁石１２を貼り付け、その磁石１２の外周に孔１３を設けた構成としている。
【００３０】
磁石１２は、空気電池４の空気孔７が覆われるサイズとし、空気電池４を挿入したときには、この磁石１２の磁力により空気電池４が吸着され、空気孔７が塞がれるようにしている。
【００３１】
孔１３により、空気電池４を挿入するときに空気電池収納部６ａ内部の空気を逃がすことができ、結果、空気電池４の挿入をスムーズに行うことができるものである。
【００３２】
図７（ａ）、（ｂ）は、電池投入口５、空気電池収納部６ａおよび空気電池４の直径の関係を表している。
【００３３】
実施形態１と違い、空気電池４を保持するのは磁石１２の磁力となるため、空気電池収納部６ａの直径Ｗ４を空気電池の直径Ｗ３より小さくして側面筒部９ａによって空気電池４を保持する必要はない。
【００３４】
そこで、電池投入口５の直径Ｗ１と、空気電池収納部６ａの直径Ｗ２の関係は、実施の形態１と同じく、Ｗ１＞Ｗ２とし、空気電池４を空気電池収納部６ａまで誘導しやすくし、また、空気電池収納部６ａの直径Ｗ２と空気電池４の直径Ｗ３の関係をＷ２＞Ｗ３とすることで、空気電池４を空気電池収納部６ａに挿入する際に大変入れやすいものとなる。
【００３５】
このように、底部８に磁石１２を備えて、空気電池４をその磁力により吸着させることにより、Ｗ２＞Ｗ３とすることができ、これにより、空気電池４を空気電池収納部６ａにスムーズに挿入することができ、また、磁石１２により空気孔７を塞ぎつつ空気電池を保持することができるのである。
【産業上の利用可能性】
【００３６】
以上のように、本発明は、補聴器収納部を有するケース本体の一部に電池投入口を設け、この電池投入口のケース本体内側には、空気電池収納部を設け、この空気電池収納部の少なくとも側面は、変形自在な柔軟な素材で構成したものであるので、補聴器および空気電池を保管する際の使い勝手の向上を図るものである。
【００３７】
すなわち、補聴器から空気電池を取り出した後、補聴器をケース本体の補聴器収納部に収納し、また、空気電池を電池投入口に差し込むだけで空気電池の消耗を抑制しつつ保管状態とすることができ、また空気電池を取り出す際にも、空気電池収納部の裏側を指で押し上げるだけで取り出すことができるため、空気電池を保管する際の使い勝手の向上を図ることができるようになる。
【符号の説明】
【００３８】
１  ケース本体
２  補聴器収納部
３  下ケース
３ａ  蓋体
４  空気電池
５  電池投入口
６  空気電池収納部
６ａ  空気電池収納部
７  空気孔
８  底部
８ａ  底部
９  側面筒部
９ａ  側面筒部
１０  指
１１  指
１２  磁石
１３  孔
【図１】
2012146404.tif 000003
【図２】
2012146404.tif 000004
【図３】
2012146404.tif 000005
【図４】
2012146404.tif 000006
【図５】
2012146404.tif 000007
【図６】
2012146404.tif 000008
【図７】
2012146404.tif 000009